(57)【要約】【課題】軽量且つ安価でしかも両面又は片面のいずれかで広い面積で均一な面状照明光を得ることができる照明装置を提供すること。【解決手段】所定の隙間をあけて対向する一対の反射板部材４Ａ、４Ｂを備えて、これらの反射板部材４Ａ、４Ｂは、基板３Ａに設けられた点光源列３が隣接する数個の点光源で複数の点光源グループに分けられて、これら複数の点光源グループにそれぞれ対応して複数枚の小型反射板に細分化されている。これら複数枚の小型反射板は、前記各点光源に対応して個々の点光源に近い箇所において反射率が高くしかも光透過率が低くなり、前記箇所から離れるに従って徐々に前記反射率が低下し一方で光透過率が増大する単一反射・透過パターンでそれぞれ形成されている。【選択図】図２
2010277727.tif 000002
【特許請求の範囲】
【請求項１】
所定の間隔をあけて複数個の点光源が一列に配列された点光源列と、前記点光源列を一端辺部の間に位置させ且つ該点光源列から所定の距離離して対向させて配置した一対の第１、第２の反射板部材と、これらの反射板部材のいずれか一方の反射板部材又は双方の反射板部材の外側反射面から所定距離あけて対向させて配置した拡散板部材とを備え、
前記拡散板部材と対向した反射板部材は、前記点光源列が隣接する数個の点光源で複数の点光源グループに分けられて、これら複数の点光源グループにそれぞれ対応して複数枚の小型反射板に細分化されており、これら複数枚の小型反射板は、前記各点光源に対応して個々の点光源に近い箇所において反射率が高くしかも光透過率が低くなり、前記箇所から離れるに従って徐々に前記反射率が低下し一方で光透過率が増大する単一反射・透過パターンでそれぞれ形成されていることを特徴とする照明装置。
【請求項２】
前記小型反射板は、前記点光源グループの複数の点光源にそれぞれ対応した複数の個別光源反射領域と、これらの点光源に共通した共通光源反射領域とに区画された領域を有し、前記個別光源反射領域は、前記各点光源に近い箇所において反射率が高くしかも光透過率が低くなり、前記箇所から離れるに従って徐々に前記反射率が低下し一方で光透過率が増大する個別反射・透過パターンで形成され、前記共通光源反射領域は、前記各個別光源反射領域に近接した箇所で前記低下した反射率よりさらに低反射率で且つ前記増大した光透過率よりさらに高光透過率となり、前記箇所から離れるに従ってさらにまた反射率が低下し一方で光透過率がさらにまた高くなる共通反射・透過パターンで形成されていることを特徴とする請求項１に記載の照明装置。
【請求項３】
前記第１、第２の反射板部材は、前記複数枚の小型反射板が一辺で連接されて、対向する連接部間が光を通過又は反射させる隔壁連結部材で結合されていることを特徴とする請求項１に記載の照明装置。
【請求項４】
所定の間隔をあけて複数個の点光源がそれぞれ一列に配列された第１、第２の点光源列と、前記第１、第２の点光源列の一方の点光源列を一端辺部間及び他方の点光源列を該一端辺部と対向し該一端辺部から離れた他端辺部間に位置させて該各点光源列から所定距離離して対向させて配置した比較的大面積の反射材からなる一対の第１、第２の大判反射板部材と、これらの大判反射板部材のいずれか一方の大判反射板部材又は双方の大判反射板部材の外側反射面から所定の距離あけて対向させて配置した拡散板部材とを備え、
前記拡散板部材と対向した大判反射板部材は、第３、第４の反射板部材からなり、前記第３、第４の反射板部材は、前記第１、第２の点光源列が隣接する数個の点光源で複数の点光源グループに分けられて、これら複数の点光源グループにそれぞれ対応して複数枚の第１、第２の小型反射板に細分化されており、これらの第１、第２の小型反射板は、前記各点光源に対応して個々の点光源に近い箇所において反射率が高くしかも光透過率が低くなり、前記箇所から離れるに従って徐々に前記反射率が低下し一方で光透過率が増大する単一反射・透過パターンでそれぞれ形成されていることを特徴とする照明装置。
【請求項５】
前記小型反射板は、前記点光源グループの複数の点光源にそれぞれ対応した複数の個別光源反射領域と、これらの点光源に共通した共通光源反射領域とに区画された領域を有し、前記個別光源反射領域は、前記各点光源に近い箇所において反射率が高くしかも光透過率が低くなり、前記箇所から離れるに従って徐々に前記反射率が低下し一方で光透過率が増大する個別反射・透過パターンで形成され、前記共通光源反射領域は、前記各個別光源反射領域に近接した箇所で前記低下した反射率よりさらに低反射率で且つ前記増大した光透過率よりさらに高光透過率となり、前記箇所から離れるに従ってさらにまた反射率が低下し一方で光透過率がさらにまた高くなる共通反射・透過パターンで形成されていることを特徴とする請求項３に記載の照明装置。
【請求項６】
前記第１、第２の大判反射板部材は、前記第３、第４の反射板部材の前記複数枚の前記第１、第２の小型反射板が一辺で連接されて、対向する連接部間が光を透過又は反射させる隔壁連結部材で結合されていることを特徴とする請求項４に記載の照明装置。
【請求項７】
前記反射・透過パターンは、前記点光源から離れるに従って光透過面積が大きくなるパターンで形成されていることを特徴とする請求項１、２、４、５のいずれかに記載の照明装置。
【請求項８】
前記反射・透過パターンは、前記小型反射板を貫通する光導通孔で形成されていることを特徴とする請求項７に記載の照明装置。
【請求項９】
前記点光源は、１個の発光素子又は複数個の発光素子を集合した発光ダイオード又はレーザーダイオードであることを特徴とする請求項１、２、４、５のいずれかに記載の照明装置。
【請求項１０】
前記小型反射板及び隔壁連結部材は、超微細発泡光反射部材で形成されていることを特徴とする請求項１〜９のいずれかに記載の照明装置。
【発明の詳細な説明】
【技術分野】
【０００１】
この発明は、複数個の光源を用いた照明装置に係り、さらに詳しくは、光源に指向性の強い点光源、例えば発光ダイオード（以下、ＬＥＤという）などを複数個用いて広い面積で均一な面状照明光を得ることができる照明装置に関するものである。この照明装置は、各種の表示板、電光掲示板、或いは自動車、鉄道車両及び航空機などの機内照明用などにおける照明装置として使用できるものである。
【背景技術】
【０００２】
面状照明装置は、例えば、液晶パネル用バックライトにみられるように、所定の肉厚及び面積の板状体からなる拡散板を用いて、この拡散板の真下に蛍光灯などの光源を配設して、この光源で拡散板を直接照射して拡散板面を発光させる直下型の照明装置と、所定の肉厚及び面積の板状体からなる導光板を用いて、この導光板の少なくとも一辺に蛍光灯、ＬＥＤ等の光源を配設して、導光板面を発光させるエッジライト型の照明装置とが知られている。
【０００３】
これらの直下型及びエッジライト型の照明装置のうち、直下型の照明装置は、光源と拡散板との間に所定の隙間、すなわち所定距離をあける構造となるので、この距離を短縮すると拡散板に光源の外形などが映し出されて見苦しくなり、照明品質が低下する恐れがあり、また、光源に指向性の強いものを使用すると、光源真上の拡散板の輝度が極度に高くなり、他の照明エリアとの間に輝度差が発生して、均一な照明光を得ることができなくなる恐れがある。また、この輝度を均一化する方法として、拡散板と光源との距離を大きくすることが考えられるが、この方法を採用すると、拡散板と光源との距離が大きくなるほど全体が暗くなって所望の照明光を得ることができず、また薄型化ができないなどの課題がある。直下型の照明装置は、このような課題を抱えているので、用途によっては、このような直下型の照明装置を採用し難いことがある。
【０００４】
そこで、この直下型の照明装置が上記のような課題を抱えていることから、この直下型の照明装置に代わってエッジライト型の照明装置が使用され、このタイプの照明装置が多く提案されている（例えば、下記特許文献１〜３参照）。
【０００５】
例えば、下記特許文献１には、エッジライト型の照明装置が開示されている。この照明装置は、発光ダイオードと、光導入部が平坦面に形成された官製ハガキ程度の大きさの導光板と、発光ダイオードからの光を反射する反射鏡とを備え、導光板の平坦面に発光ダイオードを装着するとともに、この発光ダイオードを反射鏡で覆った構成となっている。そして、発光ダイオードからの照射光は、反射鏡に照射されて、導光板に導入されるようになっている。この照明装置によると、発光ダイオードからの照射光は導光板に効率よく取り込まれることになる。
【０００６】
また、下記特許文献２には、ＬＥＤ及び光源ロッドからなる光源装置と、この光源装置からの照射光を導光する導光板とで構成された照明装置が開示されている。光源ロッドは、所定形状のプリズムアレイで構成されている。そして、この光源ロッドによって、ＬＥＤからの照射光が導光板を介して被照射物に照射されて、輝度が均等化されるようになっている。
【０００７】
下記特許文献３には、導光体の入光面に複数の発光ダイオードを等間隔に配置し、この発光ダイオードからの光を反射体で乱反射させ、その散乱光により導光体の出光面を面発光させて、導光体の出光面に対向配置された表示体を照光するレジ案内灯が開示されている。
【先行技術文献】
【特許文献】
【０００８】
【特許文献１】特開２００５−１４９８４８号公報（段落〔００１２〕、図１）
【特許文献２】特開２００１−２３６８１１号公報（段落〔００１２〕〜〔００１４〕、図１）
【特許文献３】特開２００５−９９４０６号公報（段落〔００１６〕、〔００１７〕、図３）
【発明の概要】
【発明が解決しようとする課題】
【０００９】
上記特許文献１〜３の照明装置は、いずれも光源に指向性の強い光源としてＬＥＤを使用し、このＬＥＤを矩形型導光板の一辺又は全辺に１個ないし複数個を配設して導光面から均一な照明光を得ることができるエッジライト型の面状照明装置となっている。
しかしながら、このタイプの面状照明装置には、以下の課題が内在している。すなわち、その一つの課題は、所定の肉厚及び大きさを有し比較的高価な導光板を必要とするので、大型化が難しくなっていることである。例えば、上記特許文献１の照明装置は、導光板は、官製ハガキ程度のガラス或いはアクリルを使用したものとなっているので、これ以上の大型化が難しい。また、強いて大型化しようとすると、大型の導光板が必要になり、しかも上記特許文献３の照明装置のように、複数個の発光ダイオードが必要となって、これら複数個の発光ダイオードを導光板の全辺の受光面に配設しなければならなくなる。そのために、照明装置の重量が増大し、かつ部品点数も多くなって組立て作業が面倒になり、さらにコストが高騰することになる。また、上記特許文献２の照明装置は、特殊形状の光源ロッドを必要としているがこの光源ロッドを使用しても大型化が難しくなっている。
他の課題は、発光面積を大きくするために大型化すると、それに比例して大型の導光板が必須となって、このような導光板は肉厚の厚いガラス板或いはプラスチック板が使用されるので、その重量が重くなり、それを組み込んだ照明装置の重量が増大し、価格も高騰することである。また、このような大型の導光板を用いると、光源から発光面までの光経路が長くなり、そのために光の減衰が大きくなり、均一な照明光を得るのが難しく、しかも照度の高い照明光を得るのも難しくなる。なお、このような高い照度を得ようとすると、ハイパワーの光源が必須となってコストの高騰を招くことにもなる。
また、他の課題は、上記課題と関連するが上記特許文献１、２の照明装置にみられるように、光源を導光板の一辺に配置しても、光源から発光面までの光経路が長くなり、そのために光減衰が大きくなり、結局、導光板の大きさが制限されるので、大型化ができないことである。
【００１０】
したがって、これまでのエッジライト型の照明装置は、導光板を用い、この導光板の周辺に光源を配設する構造となるので、小型の照明装置としては好適であるが、大型化に限界があるものとなっている。
【００１１】
本発明者は、これまでのエッジライト型の照明装置には、導光板が使用され、そのために大面積の面状照明光を得難くなっていることに鑑みて、如何にすれば指向性の強い光源であっても導光板を使用しないで、安価且つ軽量で大面積の面状照明光が得られるかを試行錯誤を繰り返して探求した。その結果、光源として指向性の強い点光源、例えばＬＥＤを複数個用いて、これらのＬＥＤを所定の反射・透過パターンを設けた一対の対向する反射板の隙間、すなわち両反射板の一端辺部に配設することにより、複数個のＬＥＤからの出射光を両反射板の該一端辺部から比較的離れた他端辺部まで効率よく、しかも略均一分散させて伝達できることを見出して、この知見に基づいて本発明を完成させるに至ったものである。
【００１２】
そこで、この発明の目的は、エッジライト型の照明装置であって、光源に指向性の強い点光源を用いても、従来技術が必須としていた導光板を不要にして、広い面積で且つ均一な面状照明光を得ることができる照明装置を提供することにある。
本発明の他の目的は、軽量且つ安価であり、しかも両面又は片面のいずれかの面、すなわち片面照明又は両面照明におけるそれぞれの面で広い面積で均一な面状照明光を得ることができる照明装置を提供することにある。
本発明のまた他の目的は、上記の目的に加えて、省エネルギー化を図った照明装置を提供することにある。
【課題を解決するための手段】
【００１３】
前記の目的は、以下の構成によって達成することができる。すなわち、本願の請求項１に係る照明装置の発明は、所定の間隔をあけて複数個の点光源が一列に配列された点光源列と、前記点光源列を一端辺部の間に位置させ且つ該点光源列から所定の距離離して対向させて配置した一対の第１、第２の反射板部材と、これらの反射板部材のいずれか一方の反射板部材又は双方の反射板部材の外側反射面から所定距離あけて対向させて配置した拡散板部材とを備え、前記拡散板部材と対向した反射板部材は、前記点光源列が隣接する数個の点光源で複数の点光源グループに分けられて、これら複数の点光源グループにそれぞれ対応して複数枚の小型反射板に細分化されており、これら複数枚の小型反射板は、前記各点光源に対応して個々の点光源に近い箇所において反射率が高くしかも光透過率が低くなり、前記箇所から離れるに従って徐々に前記反射率が低下し一方で光透過率が増大する単一反射・透過パターンでそれぞれ形成されていることを特徴とする。
【００１４】
請求項２の発明は、請求項１に記載の照明装置において、前記小型反射板は、前記点光源グループの複数の点光源にそれぞれ対応した複数の個別光源反射領域と、これらの点光源に共通した共通光源反射領域とに区画された領域を有し、前記個別光源反射領域は、前記各点光源に近い箇所において反射率が高くしかも光透過率が低くなり、前記箇所から離れるに従って徐々に前記反射率が低下し一方で光透過率が増大する個別反射・透過パターンで形成され、前記共通光源反射領域は、前記各個別光源反射領域に近接した箇所で前記低下した反射率よりさらに低反射率で且つ前記増大した光透過率よりさらに高光透過率となり、前記箇所から離れるに従ってさらにまた反射率が低下し一方で光透過率がさらにまた高くなる共通反射・透過パターンで形成されていることを特徴とする。
【００１５】
請求項３の発明は、請求項１に記載の照明装置において、前記第１、第２の反射板部材は、前記複数枚の小型反射板が一辺で連接されて、対向する連接部間が光を通過又は反射させる隔壁連結部材で結合されていることを特徴とする。
【００１６】
請求項４に係る照明装置の発明は、所定の間隔をあけて複数個の点光源がそれぞれ一列に配列された第１、第２の点光源列と、前記第１、第２の点光源列の一方の点光源列を一端辺部間及び他方の点光源列を該一端辺部と対向し該一端辺部から離れた他端辺部間に位置させて該各点光源列から所定距離離して対向させて配置した比較的大面積の反射材からなる一対の第１、第２の大判反射板部材と、これらの大判反射板部材のいずれか一方の大判反射板部材又は双方の大判反射板部材の外側反射面から所定の距離あけて対向させて配置した拡散板部材とを備え、前記拡散板部材と対向した大判反射板部材は、第３、第４の反射板部材からなり、前記第３、第４の反射板部材は、前記第１、第２の点光源列が隣接する数個の点光源で複数の点光源グループに分けられて、これら複数の点光源グループにそれぞれ対応して複数枚の第１、第２の小型反射板に細分化されており、これらの第１、第２の小型反射板は、前記各点光源に対応して個々の点光源に近い箇所において反射率が高くしかも光透過率が低くなり、前記箇所から離れるに従って徐々に前記反射率が低下し一方で光透過率が増大する単一反射・透過パターンでそれぞれ形成されていることを特徴とする。
【００１７】
請求項５の発明は、請求項３に記載の照明装置において、前記小型反射板は、前記点光源グループの複数の点光源にそれぞれ対応した複数の個別光源反射領域と、これらの点光源に共通した共通光源反射領域とに区画された領域を有し、前記個別光源反射領域は、前記各点光源に近い箇所において反射率が高くしかも光透過率が低くなり、前記箇所から離れるに従って徐々に前記反射率が低下し一方で光透過率が増大する個別反射・透過パターンで形成され、前記共通光源反射領域は、前記各個別光源反射領域に近接した箇所で前記低下した反射率よりさらに低反射率で且つ前記増大した光透過率よりさらに高光透過率となり、前記箇所から離れるに従ってさらにまた反射率が低下し一方で光透過率がさらにまた高くなる共通反射・透過パターンで形成されていることを特徴とする。
【００１８】
請求項６の発明は、請求項４に記載の照明装置において、前記第１、第２の大判反射板部材は、前記第３、第４の反射板部材の複数枚の前記第１、第２の小型反射板が一辺で連接されて、対向する連接部間が光を透過又は反射させる隔壁連結部材で結合されていることを特徴とする。
【００１９】
請求項７の発明は、請求項１、２、４、５のいずれかに記載の照明装置において、前記反射・透過パターンは、前記点光源から離れるに従って光透過面積が大きくなるパターンで形成されていることを特徴とする。
【００２０】
請求項８の発明は、請求項７に記載の照明装置において、前記反射・透過パターンは、前記小型反射板を貫通する光導通孔で形成されていることを特徴とする。
【００２１】
請求項９の発明は、請求項１、２、４、５のいずれかに記載の照明装置において、前記点光源は、１個の発光素子又は複数個の発光素子を集合した発光ダイオード又はレーザーダイオードであることを特徴とする。
【００２２】
請求項１０の発明は、請求項１〜９のいずれかに記載の照明装置において、前記小型反射板及び隔壁連結部材は、超微細発泡光反射部材で形成されていることを特徴とする。
【発明の効果】
【００２３】
請求項１、２の発明によれば、従来技術で必要としていた導光板が不要になり、軽量化及び低価格化ができて、しかも大面積で均一な面状照明光を得ることができる。すなわち、導光板がなくなるので、軽量化及び低価格化が可能になり、さらに、所定の反射・透過パターンにより、点光源列からの出射光を均一にして、広い面積で均一な照明光を得ることが可能になる。また、第１、第２の反射板部材のいずれか一方の反射板部材又は双方の反射板部材に所定の反射・透過パターンを設けることによって、片面又は両面から照明光が得られる照明装置を作製できて使用用途を拡大できる。
【００２４】
請求項３の発明によれば、小型反射板の連接部が光を透過又は反射させる隔壁連結部材で連結されているので、連結部分で暗くなることがなく、照明品質の低下を防止できる。また、対向する反射板の隙間を所定の距離に確保維持できる。
【００２５】
請求項４、５の発明によれば、従来技術で必要としていた導光板が不要になり、軽量化及び低価格化ができて、しかもさらに大面積で均一な面状照明光を得ることができる。すなわち、導光板がなくなるので、軽量化及び低価格化が可能になり、さらに、反射板部材に設けられた所定の反射・透過パターンにより、点光源列からの出射光を均一にして、さらに大面積で均一な照明光を得ることが可能になる。また、第１、第２の反射板部材のいずれか一方の反射板部材又は双方の反射板部材に所定反射・透過パターンを設けることによって、片面又は両面から照明光が得られ照明装置が作製できて使用用途を拡大できる。
【００２６】
請求項６の発明によれば、小型反射板の連接部が光を通過又は透過させる隔壁連結部材で連結されているので、連結部分で暗くなることがなく、照明品質の低下を防止できる。また、対向する反射板の隙間を所定の距離に確保維持できる。
【００２７】
請求項７の発明によれば、反射・透過パターンを簡単に作成できる。すなわち、小型反射板の光透過面積を所定の大きさにすることによって所望の反射・透過パターンを簡単に作成できる。
【００２８】
請求項８の発明によれば、小型反射板に光を導通する貫通孔を設けることによって、反射・透過パターンを簡単に作成できる。
【００２９】
請求項９の発明によれば、点光源に、発光ダイオード又はレーザーダイオードを用いるので、長寿命でしかも消費電力が少なくなり、照明装置を省エネルギー化することができる。
【００３０】
請求項１０の発明によれば、超微細発泡光反射部材を採用することにより、入手が簡単でしかも加工が容易になる。
【図面の簡単な説明】
【００３１】
【図１】図１は本発明の実施形態１に係る照明装置の外観斜視図である。
【図２】図２は図１の照明装置のＩＩ―ＩＩ線で切断した断面図である。
【図３】図３は図１の照明装置の枠体内に収容される点光源、反射板部材及び拡散板部材の組立て斜視図である。
【図４】図４は図３の点光源、反射板部材及び拡散板部材の分解図である。
【図５】図５は図４の一部の点光源列及び反射板部材を示した側面図である。
【図６】図６は図３の一対の小型反射板を連結する連結部材の正面図である。
【図７】図７は図６の連結部材の変形例を示した連結部材の正面図である。
【図８】図８Ａは図５のＡ１部分、図８Ｂは図５のＡ２部分の拡大図である。
【図９】図９は所定位置の照度を求める説明図である。
【図１０】図１０はＬＥＤの配光特性を表す図である。
【図１１】図１１は本発明の実施形態２の照明装置を構成する点光源、反射板及び拡散板の分解図である。
【図１２】図１２は本発明の実施形態３の照明装置を構成する点光源、反射板及び拡散板の分解図である。
【図１３】図１３は図１２の一部の点光源列及び反射板部材を示した側面図である。
【図１４】図１４は本発明の実施形態４の照明装置を構成する点光源、反射板及び拡散板の分解図である。
【発明を実施するための形態】
【００３２】
以下、図面を参照して、本発明を実施するための形態を説明する。但し、以下に示す実施形態は、本発明の技術思想を具体化するための照明装置を例示するものであって、本発明をこれに特定することを意図するものではなく、特許請求の範囲に含まれるその他の実施形態のものにも等しく適応し得るものである。
【実施例１】
【００３３】
図１〜図３を参照して、本発明の実施形態１に係る照明装置の全体構成を説明する。なお、図１は本発明の実施形態１に係る照明装置の外観斜視図、図２は図１の照明装置のＩＩ―ＩＩ線で切断した断面図、図３は図１の照明装置の枠体内に収容される点光源、反射板及び拡散板の組立て斜視図である。
本発明の実施形態１に係る照明装置１は、図１、図２に示すように、対向する一対の長辺枠２ａ、２ｂ及び短辺枠２ｃ、２ｄを有し、前後面に所定大きさの窓口２ｅ、２ｅ'を設けた額縁状の枠体２を用い、この枠体内に、所定の間隔をあけて複数個の点光源を一列に配列した点光源列３と、この点光源列を間に介在させて該点光源列３から所定の隙間Ｇ３をそれぞれ離して平行に対向させて配置した一対の第１、第２の反射板部材４Ａ、４Ｂと、これらの反射板部材の外側反射面から所定の隙間Ｇ４をそれぞれあけて平行に対向させて配置した一対の第１、第２の拡散板部材７Ａ、７Ｂとが収容された構成となっている。枠体２は、対向する各長辺枠２ａ、２ｂの長さＸ、各短辺枠の長さＹ及び厚さＺで前後面にそれぞれ所定大きさの窓口２ｅ、２ｅ'を有する額縁状をなし、合成樹脂成型体或いは金属板材で形成されている。枠体２は、額縁枠の幅長ａを狭くして、狭額縁化されている。狭額縁化により、窓口の面積が大きくなり、その結果、照明面積を拡大させることができる。この狭額縁化は、枠体２の内部に収容する部材、特に点光源列３を一対の第１、第２の反射板４Ａ、４Ｂの一端辺部の間に介在させる構成によって達成される。
この実施形態では、各辺枠などの寸法は、以下の値になっている。すなわち、各長辺枠２ａ、２ｂの長さＸは６５０ｍｍ、各短辺枠Ｙは３００ｍｍ及び厚さＺは９３ｍｍである。また、第１、第２の反射板部材４Ａ、４Ｂの間隔Ｇ２は３０ｍｍ、第１、第２の反射板部材４Ａ、４Ｂと第１、第２の拡散板部材７Ａ、７Ｂ間の間隔Ｇ４は２０ｍｍである。さらに、額縁枠の幅長ａは２５ｍｍである。
【００３４】
これらの反射板部材及び拡散板部材の配置は、第１、第２の反射板部材４Ａ、４Ｂの間隔Ｇ２を狭くすると、両反射板部材間での反射光の伝播がし難く、すなわち光の減衰が大きくなって、点光源からの出射光を反射板の離れた他端辺部へ到達し難くなり、一方、この間隔Ｇ２を広くすると、照明装置の厚みが厚くなる。また、反射板部材と拡散板部材間の隙間Ｇ４を狭くすると、後述する反射板部材の反射・透過パターンが拡散板部材を通して見え易くなり、照明品質の低下を招く恐れがあり、一方、この隙間Ｇ４を広くすると、照明装置の厚みが厚くなる。そこで、これらの隙間Ｇ２及びＧ４は、上記の点を考慮して、上記の寸法に設定されている。
【００３５】
なお、この実施形態では、枠体２は、前後面にそれぞれ窓口２ｅ、２ｅ'を設け、前後面から光を出射できる両面照明となっているが、いずれか一方の面のみの片面照明にしてもよい。この片面照明の場合、一対の第１、第２の反射板部材のうち、いずれか一方の反射板部材を後述する所定の反射・光透過パターンを有する反射板で形成し、他方の通常の反射板部材、すなわち高い反射率の反射面を備えた反射板を使用する。この反射板を使用したときは拡散板部材が不要になる。また、枠体２は、図１の状態で横に長い横長型になっているが、縦に伸びた縦長型にしてもよく、この縦長型にするときは、点光源列が長尺辺部間に配設されることになる。
【００３６】
点光源列３は、図５に示すように、指向性の強い点光源、例えばＬＥＤ、レーザーダイオードなどを用い、これらの点光源が所定の長さを有する基板３Ａ上に所定の間隔Ｌ１１をあけて一列に配置されている。なお、ＬＥＤ、レーザーダイオードは、それぞれの発光部にレンズを装着したものを用いてもよい。これらのＬＥＤ及びレーザーダイオードは、長寿命及び低消費電力の特性を有しているので、照明装置の省エネルギー化が可能になる。この実施形態では、ＬＥＤを使用した例を説明する。基板３Ａは、反射率が高い材料で形成されている。なお、照明装置の組立ての際に、基板３Ａと対向する位置、すなわち、一対の第１、第２の反射板部材４Ａ、４Ｂの他端辺部に反射板３Ａ'が装着される（図２参照）。なお、反射板３Ａ'には、後述する実施形態２の照明装置では複数個の点光源が配列される。
【００３７】
光源列３は、隣接するＬＥＤ数個毎に、すなわち複数個、例えば隣接する２個のＬＥＤ３１、３２、同様に隣接するＬＥＤ３３、３４、隣接するＬＥＤ３５、３６でそれぞれグループ化されている。このグループ化されたＬＥＤを用いて、個々の小型反射板が照射される（図４参照）。なお、グループ化するＬＥＤの個数は、２個に限定されるものでなくそれ以上でもよい。２個以上でグループ化した場合は、その個数によって後述する小型反射板が変更される。また、グループ数は、複数でなく１つでもよい。
【００３８】
図３、図４を参照して、第１、第２の反射板部材４Ａ、４Ｂを説明する。なお、図４は図３の点光源、反射板部材及び拡散板部材の分解斜視図である。
第１、第２の反射板部材４Ａ、４Ｂは、所定の幅長Ｗ１及び高さＹ１（Ｘ＞Ｗ１、Ｙ＞Ｙ１）及び肉厚の矩形状の板体からなり、高光反射率、低光透過率及び低光吸収率の材料で形成されている。また、両面反射するものが好ましい。さらに、これに加え乱反射する材料が好ましい。このような材料には、例えば超微細発泡光反射部材がある。なお、これらの反射板部材４Ａ、４Ｂは、拡散板部材７Ａ、７Ｂの大きさと同じになっている。この超微細発泡光反射部材には、反射率９８％、光透過率１％、光吸収率１％のものが知られており、この材料を用いるのが好ましい。その他の材料として、チタンホワイトの微粒子をエマルジョン化したもの、ポリテトラフロロエチレンの微粒子をエマルジョン化したもの部材に塗布或いはスクリーン印刷により設けてもよい。
第１、第２の反射板部材４Ａ、４Ｂは、上記の高光反射率（乱反射を含む）で低光透過率及び低光吸収率の材料を用いて、所定の領域で反射光量及び光透過量をコントロールする構成となっている。
【００３９】
第１の反射板部材４Ａは、図４に示すように、３枚の小型の反射板（以下、小型反射板という）４Ａ１〜４Ａ３を連接したもので構成され、同様に第２の反射板部材４Ｂも３枚の小型反射板４Ｂ１〜４Ｂ３を連接したもので構成されている。個々の小型反射板４Ａ１〜４Ａ３及び４Ｂ１〜４Ｂ３は、同じ構成となっている。小型反射板の枚数は、任意数、例えば１枚でも、２枚、さらに４枚以上でもよい。この小型反射板の枚数によって、点光源列３、すなわち、グループ数が変更される。３枚の小型反射板４Ａ１〜４Ａ３は、それぞれグループ化された２個のＬＥＤ、すなわち隣接するＬＥＤ３１、３２、同様に隣接するＬＥＤ３３、３４、隣接するＬＥＤ３５、３６によって照射される。第１、第２の反射板部材４Ａ、４Ｂは、それぞれ複数枚の小型反射板４Ａ１〜４Ａ３及び４Ｂ１〜４Ｂ３が連接されて、さらにそれぞれの小型反射板４Ａ１〜４Ａ３と小型反射板４Ｂ１〜４Ｂ３とが対向配置されて、連接部において隔壁連結部材６で連結されている。
【００４０】
図６、図７を参照して、隔壁連結部材を説明する。なお、図６は隔壁連結部材の正面図、図７は隔壁連結部材の変形例を示した正面図である。
隔壁連結部材（以下、連結部材という）６は、対向する小型反射板の連接部間を連結して、機械的に結合すると共に、両連接部の間に所定の隙間をあける働きをする部材となっている。さらに、連結部材６は各ＬＥＤからの光を反射させ伝達距離を制限し、その結果、光減衰率が抑制されて、光の利用効率が上がる働きを有する。この連結部材６は、対向する小型反射板間に所定の隙間Ｇ２をあける幅長Ｌ２と、長手方向の長さＹ１とを有する長尺の帯状片からなり、両面に反射面を有する反射板材で形成されている。この反射板材は、上記の反射板部材と同じ材料で形成されている。なお、超微細発泡光反射部材を用いるのが好ましい。長手方向の長さは、小型反射板の長さＹ１と同じになっている。長手方向には、所定間隔Ｙ４毎に、長手方向と直交する方向の両サイドから所定長さ突出した一対の係止爪６２が設けられている。これら係止爪６２で対向する連接部が結合される。また、帯状片には、同じ間隔Ｙ４毎に、部材を貫通する貫通孔６１が設けられている。貫通孔６１は、所定の開口面積を有し、この開口から光が導通される。さらに、帯状片は、所定間隔Ｙ４毎に一対の係止爪６２が設けられているが、一対の係止爪６２と他の一対の係止爪６２とを繋ぐ繋ぎが途中を絞り込まれて、すなわち、帯状片の幅長が狭められている。この狭められた箇所からも、光が導通されることになる。
連結部材６は、複数個用意されて、個々の対向する小型反射板の連接部が連結される。この連結により、第１、第２の反射板部材４Ａ、４Ｂの間には、隙間Ｇ２が確保される。また、これらの連結部材６は、光を通過させるので、この連結部分で暗くなることがない。
この連結部材６は、上記の形状に限定されるものでなく、任意の形状に変更できるものである。図７を参照して連結部材の変形例を説明する。
連結部材６Ａは、上記連結部材６の絞り込み部をなくして同じ幅長Ｌ２にしたものである。この連結部材６Ａによれば、機械的強度を強くできる。なお、この連結部材６Ａに貫通孔６１を設けてもよい。また、連結部材６、６Ａは、長尺の帯状片で構成したが、一対の係止爪を設けた小片、例えば図７のＢ１~Ｂ３に示す形状に変更してもよい。これらの連結部材Ｂ１~Ｂ３は、特に、薄型化に好適なものとなる。
【００４１】
図５を参照して、１枚の小型反射板４Ａ１とグループ化されたＬＥＤ３１、３２との関係を説明する。なお、図５は図４の一部の点光源列及び小型反射板を示した側面図である。
小型反射板４Ａ１は、所定の幅長Ｗ２の底辺４ａと、この底辺の両側端から所定長さＹ１延びた一対の側辺４ｂ、４ｃと、両側辺を結んだ上辺４ｄとを有し、矩形状をなしている。
グループ化された隣接する２個のＬＥＤ３１、３２は、基板３Ａの小型反射板４Ａ１に対応する部分の長さを長さＬ１として、この長さ部分の基板上に所定距離Ｌ１１をあけて配列されている。すなわち、これらのＬＥＤは、両ＬＥＤ３１、３２が距離Ｌ１１をあけてあるが、長さＬ１の両端部からの距離は距離Ｌ１２となっている。この距離Ｌ１２は距離Ｌ１１の二分の一になっている。長さＬ１は、小型反射板４Ａ１の幅長Ｗ２と同じになっている。また、３枚の小型反射板を連接した幅長３Ｗ２は、図３のＷ１となっている。
【００４２】
この小型反射板４Ａ１は、グループ化された隣接する２個のＬＥＤ３１、３２に対して、３つの領域、すなわち、隣接する２個のＬＥＤ３１、３２に個別に対応する２つの個別光源反射領域５Ａ、５Ｂと、これらのＬＥＤ３１、３２に共通する共通光源反射領域５ＡＢに区画されている。個別光源反射領域５Ａ、５Ｂは、底辺４ａの長さＷ２を二分した幅長Ｗ２１と、底辺４ａから所定高さＹ２で囲まれた領域となっている。個別光源反射領域の高さＹ２は、ＬＥＤのパワーによって設定されるが、概ね全体の高さＹ１に対して、二分の一又はその近傍の高さに設定される。これらの個別光源反射領域５Ａ、５Ｂは、それぞれのＬＥＤ３１、３２から出射される光を各ＬＥＤ３１、３２に近接したエリアでは高反射率で反射させ且つ低光透過率にして、これらの光源すなわち各ＬＥＤ３１、３２から離れるにしたがって反射率を徐々に低下させ反対に光透過率を上昇させる反射・透過パターン（以下、個別反射・透過パターンともいう）で形成されている。両個別光源反射領域５Ａ、５Ｂの個別反射・透過パターンは同じになっている。また、共通光源反射領域５ＡＢは、上辺４ｄとこの上辺から所定長さＹ３下がった部分で囲まれた領域となっており、各個別光源反射領域５Ａ、５Ｂで反射された反射光を個別光源反射領域５Ａ、５Ｂの反射率より低い反射率で反射させ且つより高い光透過率で透過させる反射・透過パターン（以下、共通反射・透過パターンともいう）が形成されている。すなわち、個別光源反射領域５Ａ、５Ｂに近接したエリアでは高反射率（しかし、この反射率は個別光源反射領域５Ａ、５Ｂの反射率より低くなっている）で反射させ且つ低光透過率（しかし、この光透過率は個別光源反射領域５Ａ、５Ｂの光透過率より高くなっている）にして、これらの個別光源反射領域５Ａ、５Ｂから離れるにしたがって反射率を徐々に低下させ反対に光透過率を上昇させる反射・透過パターンで形成されている。これらの個別反射・透過パターン及び共通反射・透過パターンは、上記の反射及び透過特性を有するパターンであれば、任意のものでよい。
【００４３】
図５、図８〜図１０を参照して、個別光源反射領域５Ａ、５Ｂの個別反射・透過パターン及び共通光源反射領域５ＡＢの共通反射・透過パターンの例を説明する。なお、図８Ａは図５のＡ１部分、図８Ｂは図５のＡ２部分の拡大図、図９は点光源（ＬＥＤ）と照度を求める所定位置との位置関係図、図１０はＬＥＤの分光曲線図である。
各個別光源反射領域５Ａ、５Ｂの個別反射・透過パターンは、同じになっているので、一方の個別光源反射領域５Ａの個別反射・透過パターンを説明する。
図５に示すように、個別光源反射領域５Ａの小型反射板４Ａ１には、光を通過させる複数個の貫通孔からなる光導通孔が形成されている。これらの光導通孔は、それぞれ所定大きさの開口（面積）を有し、所定の規則性をもって配列されている。この実施形態では、これらの光導通孔は、ＬＥＤ３１の所定の光軸上に所定大きさ、すなわち所定の開口面積を有する貫通孔の配列となっている。
【００４４】
これらの光導通孔の開口の大きさは、次のようにして決定される。まず、照度Ｌを演算により算出し、図８Ａに示すように、この照度Ｌが最も低くなる所定箇所のエリアＤｍａｘに、最大の半径Ｒｍａｘである円形の開口が設けられる。この半径Ｒｍａｘはこのエリアの一辺の長さの４０％、つまり直径をこのエリアの一辺の８０％の長さとしている。これ以上径を大きくすると開口と開口の間の部分（以下、桟という）が細くなり、小型反射板４Ａ１の耐久性が低くなるためである。また、開口の形状は円形ではなく、所定箇所における透過率を満たし、桟の部分が細くなりすぎずに小型反射板４Ａ１の耐久性が保てるのであれば、三角形や四角形、星型など、どのような形状でもよい。
【００４５】
次に、Ｄｍａｘ以外の他のエリアＤｉ，ｊに設ける開口の大きさを、Ｄｍａｘに設けた半径Ｒｍａｘを基にして決定される。まず、点光源３１から他のエリアＤｉ，ｊ内の所定位置Ｐｉ，ｊ（エリアＤｉ，ｊの重心位置や点光源３１からの最短位置など）までの距離Ｌｉ，ｊと、指向角φｉ，ｊと、を測定する。所定エリアＤｉ，ｊにおける照度Ｉｉ，ｊは照度計を用いて測定してもよいが、また、演算によって概算値を求めてもよい。
【００４６】
所定位置Ｐｉ，ｊでの照度Ｉｉ，ｊを、距離Ｌｉ，ｊと、指向角φｉ，ｊとによって演算で求める。
図９に示すように点光源３１を原点とし、ｘ軸を小型反射板４Ａ１に平行な方向、ｙ軸を基板と平行な平面上であってｘ軸に垂直に交わる方向、ｚ軸を基板に対して垂直な方向にとり、所定位置Ｐｉ，ｊの直交座標を（ｘｉ，ｊ、ｙｉ，ｊ、ｚｉ，ｊ）とする。点光源３１から射出される最大光度ＬＩｍａｘは図９に示すように、ｚ軸正の方向に垂直であり、所定位置Ｐｉ，ｊ方向への光度は、ＬＩｍａｘ・ｃｏｓφｉ，ｊとなる。照度は光度に比例し、光源からの距離の二乗に反比例するため、所定位置Ｐｉ，ｊでの照度Ｉｉ，ｊは、Ｋを比例定数とすると、
Ｉｉ，ｊ＝Ｋ・ｃｏｓφｉ，ｊ／Ｌｉ，ｊ２
となる。つまり、所定位置Ｐｉ，ｊでの照度Ｉｉ，ｊは、点光源３１からの距離Ｌｉ，ｊと、指向角φｉ，ｊとにより定まる。
ここで、
ｃｏｓφｉ，ｊ＝ｚｉ，ｊ／（ｘｉ，ｊ２＋ｙｉ，ｊ２＋ｚｉ，ｊ２）１／２、Ｌｉ，ｊ＝（ｘｉ，ｊ２＋ｙｉ，ｊ２＋ｚｉ，ｊ２）１／２
であるから、
Ｉｉ，ｊ＝Ｋ・ｚｉ，ｊ／（ｘｉ，ｊ２＋ｙｉ，ｊ２＋ｚｉ，ｊ２）３／２
とかける。ｙ軸方向の距離は一定であるので、所定位置Ｐｉ，ｊでの照度Ｉｉ，ｊは、小型反射板４Ａ１の面上で、ｘ軸方向、ｚ軸方向の距離を求めることによって簡単に算出することができる。
【００４７】
所定位置Ｐｉ，ｊにおける開口の半径Ｒｉ，ｊの大きさは、上記算出した照度、Ｉｉ，ｊと、所定領域Ｄｍａｘにおける照度Ｉｍｉｎとの比のルートによって算出する。つまり、
Ｒｉ，ｊ＝Ｒｍａｘ・√（Ｉｍｉｎ／Ｉｉ，ｊ）
とする。したがって、所定エリアＤｉ，ｊにおける照度が高いほど、所定エリアＤｉ，ｊにおける開口の面積は小さくなる。上記の計算は概略の傾向を示すもので、実際には多開口の反射部材間を多数回反射して照度が決まるので、目標とする照度平坦度によっては現物に合わせた補正が必要である。照度の測定値をベースに開口値を計算した場合も、同様に補正が必要となる場合もある。
【００４８】
ＬＥＤの光度は図９の配光特性に示されるように、光軸からの傾きが大きいほど弱くなっていく。従って、図５に示すように、点光源からの距離は等しいが、基板に垂直な方向にある開口Ｈ１、５よりも、基板に平行な方向にある開口Ｈ５、１のほうが大きくなっている。
ここで、点光源３１付近では、開口の面積がかなり小さくなり、開口を小さくした光導通孔を設けることが技術的に難しくなる場合がある。この場合、開口の半径を例えば倍とし、反射板を肉薄に削る、つまり、未貫通孔とする。半径を倍にすることにより肉薄に削る範囲が拡がって削りやすくなる。また、未貫通であるので、点光源からの直接光が届かなくなり照度の均一化が図りやすくなる。
【００４９】
以上、個別光源反射領域５Ａの個別反射・透過パターンを説明したが、共通光源反射領域５ＡＢの共通反射・透過パターンも同様の方法で所定大きさの光導通孔が設けられる。
この共通光源反射領域５ＡＢの光導通孔は、隣接するＬＥＤ３１、３２に対応したものとなるので、図５に図示の仮想点光源３１２に光源があるものとして、それぞれのエリアにおける光導通孔の開口面積が決定される。
【００５０】
開口面積は、上記方法で決定され、その結果、個別光源反射領域５Ａ、５Ｂでは、各ＬＥＤに近い箇所において高反射率でしかも低光透過率となり、この箇所から離れるに従って徐々に前記反射率が低下し一方で光透過率が増大する個別反射・透過パターンで形成され、また、共通光源反射領域５ＡＢは、各個別源反射領域５Ａ、５Ｂに近接した箇所で前記低下した反射率よりさらに低反射率で且つ前記増大した光透過率よりさらに高光透過率となり、この箇所から離れるに従ってさらにまた反射率が低下し一方で高光透過率がさらにまた高くなる共通反射・透過パターンで形成されていることになる。
この実施形態では、第１、第２の反射板４Ａ、４Ｂにおいて所定大きさの開口を有する光導通孔を複数個所定の規則性、すなわち指向角線上に配列したが、他の方法、例えば、点光源からの距離によって、開口面積を決めてもよい。
また、この実施形態ではグループ化された点光源の数を２個としたが、点光源の数が３個以上であってもよい。すなわち、第１、第２の反射板４Ａ、４Ｂにおいて、個別のＬＥＤに対しそれぞれ個別光源反射領域と、グループに含まれるすべてのＬＥＤに共通する共通光源反射領域が設けられても同様の効果が得られる。
【００５１】
第１、第２の拡散板部材７Ａ、７Ｂは、公知の拡散板を使用するので、説明を省略する。
【００５２】
実施形態１の照明装置１は、これらの小型反射板、連結部材、点光源列を設けた基板、拡散板部材及び枠体を用いて組立てられる。その組立ては、まず、３枚の小型反射板４Ａ１〜４Ａ３を連接させて第１の反射板部材４Ａを形成する。同様に３枚の小型反射板４Ｂ１〜４Ｂ３を連接して第２の反射板部材４Ｂを形成する。第１、第２の反射板部材は、対向させて、各反射板の対向する連接部間を隔壁連結部材６で結合する。次いで、連結された第１、第２の反射板部材４Ａ、４Ｂ及び第１、第２の拡散板部材７Ａ、７Ｂを枠体２に組入れるが、そのとき、予め点光源を設けた基板３Ａを長辺枠２ｂに配設しておいて、これらの部品を収容して、組立てを完了する。
この照明装置によれば、従来技術で必要としていた導光板が不要になり、軽量化及び低価格化ができて、しかも大面積で均一な面状照明光を得ることができる。すなわち、導光板がなくなるので、軽量化及び低価格化が可能になり、さらに、個別光源反射領域の個別反射・透過パターン及び共通光源領域の共通反射・透過パターンにより、点光源列からの出射光を均一にして、広い面積で均一な照明光を得ることが可能になる。すなわち、点光源列からの光が第１、第２の反射板部材間にあって、まず、それぞれの小型反射板の個別光源反射領域で反射及び透過され、次いで共通光源反射領域で反射及び透過されるので、広い面積で均一な面照明光を得ることができる。また、第１、第２の反射板部材のいずれか一方の反射板部材又は双方の反射板部材に個別反射・透過パターン及び共通反射・透過パターンを設けることによって、片面又は両面から照明光が得られ、使用用途が拡大できる。さらに、点光源に、発光ダイオード又はレーザーダイオードを用いるので、長寿命でしかも消費電力が少なくなり、照明装置を省エネルギー化することができる。
【実施例２】
【００５３】
次に、図１１を参照して、本発明の実施形態２に係る照明装置を説明する。なお、図１１は本発明の実施形態２の照明装置を構成する点光源列、反射板部材及び拡散板部材の分解斜視図である。この図１１は、実施形態１の照明装置の図４に対応したものとなっている。
本発明の実施形態２に係る照明装置は、実施形態１に係る照明装置１の点光源列を１列増やし、この点光源列の増設に伴って反射板部材及び拡散板部材の大きさを２倍以上に大きくすると共に、これらの部品を収容する枠体も大型化したものとなっている。したがって、照明装置１と大きさが異なるが機能などが同じであるので、上記照明装置１と共通する構成には同じ符号を付して、重複説明を省略して異なる構成を詳述する。
実施形態２に係る照明装置は、所定の間隔をあけて複数個の点光源がそれぞれ一列に配列された第１、第２の点光源列３、３'と、これらの第１、第２の点光源列の一方の点光源列３を一端辺部間及び他方の光源列３'を該一端辺部と対向し該一端辺部から離れた他端辺部間に位置させて該各点光源列から所定距離離して対向させて配置した一対の第１、第２の大判反射板部材４１Ａ、４１Ｂと、これらの大判反射板部材の外側反射面から所定の距離あけて対向させて配置した一対の拡散板部材７Ａ'、７Ｂ'とを備えている。なお、各拡散板部材７Ａ'、７Ｂ'は、第１、第２の大判反射板部材４１Ａ、４１Ｂにあわせて大判になっており、また、大判反射板部材４１Ａ、４１Ｂ及び点光源列３Ａ、３Ａ'などは、小型反射板の枚数及び点光源数が多くなっている。
第１、第２の点光源列３Ａ、３Ａ'のうち、一方の点光源列３Ａ'は増設されたもので、
その構成は点光源列３Ａを上下逆にしたものとなっている。第１、第２の大判反射板部材４１Ａ、４１Ｂのうち、一方の第１の大判反射板部材４１Ａは、実施例１の照明装置１の第１の反射板部材と同じ構成の反射板部材４Ａと、この反射板部材を図１１の状態で上下逆にして増設した反射板部材４Ａ'とで構成されている。これらの反射板部材４Ａ、４Ａ'は特許請求の範囲では、第３、第４の反射板部材と表されている。これらの反射板部材４Ａ、４Ａ'は、それぞれ複数枚の小型反射板からなり、これらがそれぞれ連接されている。すなわち、第１の大判反射板部材４１Ａは、反射板部材４Ａ、４Ａ'からなり、これらの反射板部材４Ａ、４Ａ'が図１１の状態で上下に連接され、さらにこれらの反射板部材４Ａ、４Ａ'は、複数枚の小型反射板が図１１の状態で横方向に連接されている。
他方の第２の大判反射板部材４１Ｂは、実施形態１の照明装置１の第１の反射板部材と同じ構成の反射板部材４Ｂと、この反射板部材を図１１の状態で上下逆にして増設した反射板部材４Ｂ'とで構成されている。これらの反射板部材４Ｂ、４Ｂ'は特許請求の範囲では、第３、第４の反射板部材と表されている。これらの反射板部材４Ｂ、４Ｂ'は、それぞれ複数枚の小型反射板からなり、これらがそれぞれ連接されている。すなわち、第２の大判反射板部材４１Ｂは、反射板部材４Ｂ、４Ｂ'からなり、これらの反射板部材４Ｂ、４Ｂ'が図１１の状態で上下に連接され、さらにこれらの反射板部材４Ｂ、４Ｂ'は、複数枚の小型反射板が図１１の状態で横方向に連接されている。
これら第１、第２の大判反射板部材４１Ａ、４１Ｂは、所定の隙間をあけて対向し、対向する小型反射板はそれぞれ隔壁連結部材で結合されて、大型の枠体に収容されて、照明装置が作製されている。
【００５４】
この照明装置によれば、従来技術で必要としていた導光板が不要になり、軽量化及び低価格化ができて、しかもさらに大面積で均一な面状照明光を得ることができる。すなわち、導光板がなくなるので、軽量化及び低価格化が可能になり、さらに、個別光源領域の個別反射・透過パターン及び共通光源領域の共通反射・透過パターンにより、点光源列からの出射光を均一にして、さらに大面積で均一な照明光を得ることが可能になる。また、第１、第２の反射板部材のいずれか一方の反射板部材又は双方の反射板部材に個別反射・透過パターン及び共通反射・透過パターンを設けることによって、片面又は両面から照明光が得られ照明装置が作製できて使用用途を拡大できる。
【実施例３】
【００５５】
これらの実施形態１、２に係る照明装置は、小型反射板がグループ化したLEDに対して、個別光源反射領域及び共通光源反射領域に区画されたものとなっているが、このような区画をすることなく個々のＬＥＤに対して、それぞれ反射・透過パターンを設けたもので構成してもよい。以下、このような反射・透過パターンを設けた照明装置を説明する。
【００５６】
図１２、図１３を参照して、本発明の実施形態３に係る照明装置を説明する。なお、図１２は本発明の実施形態３の照明装置を構成する点光源列、反射板部材及び拡散板部材の分解図、図１３は図１２の一部の点光源列及び反射板部材を示した側面図である。
本発明の実施形態３に係る照明装置は、実施形態１に係る照明装置１の第１、第２の反射板部材の一部の構成が異なるのみで、他の構成は同じになっているので、この照明装置１と共通する構成には同じ符号を付して、重複説明を省略して異なる構成を詳述する。
本発明の実施形態３に係る照明装置は、上記照明装置１を構成する第１、第２の反射板部材４Ａ、４Ｂの反射・透過パターンが異なっている。すなわち、実施形態３に係る照明装置の第１、第２の反射板部材４Ｃ、４Ｄは、それぞれの反射・透過パターンが個別光源反射領域及び共通光源反射領域に区画されることなく、それぞれのＬＥＤに対して、単一の反射・透過パターン（以下、単一反射・透過パターンという）で形成されている。この単一反射・透過パターンは、上記個別反射・透過パターンをLEDから離れる方向へ延ばし拡大したものとなっている。
第１、第２の反射板部材４C、４Dは、照明装置１の第１、第２の反射板部材４Ａ、４Ｂと同様に、複数枚の小型反射板で構成されている。これらの小型反射板は、同じ構成を有している。
この小型反射板4Ｃ１は、図１３に示すように、個別光源反射領域及び共通光源反射領域に区画されずに、１つのLEDのそれぞれに対して単一反射・透過パターンで構成されている点が前記小型反射板４Ａ１（図５参照）と異なっている。
これらの単一反射・透過パターンは、上記個別反射・透過パターンと同様の方法によって形成される。すなわち、各ＬＥＤ３１、ＬＥＤ３２に対して、個別反射・透過パターン形成方法で作成される。
実施形態３に係る照明装置は、上記照明装置１と反射・透過パターンが異なるが、この装置と同様の作用効果を奏することができる。
【実施例４】
【００５７】
図１４を参照して、本発明の実施形態４に係る照明装置を説明する。なお、図１４は本発明の実施形態４の照明装置を構成する点光源列、反射板部材及び拡散板部材の分解図である。この図１４は、実施形態３の照明装置の図１２に対応したものとなっている。
本発明の実施形態４に係る照明装置は、実施形態２に係る照明装置の第１、第２の大判反射板部材の一部構成が異なるのみで、他の構成は同じになっているので、この実施例２に係る照明装置と共通する構成には同じ符号を付して、重複説明を省略して異なる構成を詳述する。
本発明の実施形態４に係る照明装置は、実施例２に係る照明装置を構成する第１、第２の大判反射板部材４１Ａ、４１Ｂにおける反射板部材４Ａ、４Ａ'、４B、４B'の反射・透過パターンが異なっている。実施形態４に係る照明装置の第１、第２の大判反射板部材４１Ｃ、４１Dのうち、一方の第１の大判反射板部材４１Ｃは、実施形態３の照明装置の第１の反射板部材と同じ構成の反射板部材４Ｃと、この反射板部材を図１４の状態で上下逆にして増設した反射板部材４Ｃ'とで構成されている。これらの反射板部材４Ｃ、４Ｃ'は特許請求の範囲では、第３、第４の反射板部材と表されている。すなわち、第１の大判反射板部材４１Ｃは、反射板部材４Ｃ、４Ｃ'からなり、これらの反射板部材４Ｃ、４Ｃ'が図１４の状態で上下に連接され、さらにこれらの反射板部材４Ｃ、４Ｃ'は、複数枚の小型反射板が図１４の状態で横方向に連接されている。これらの反射板部材４Ｃ、４Ｃ'は、それぞれ複数枚の小型反射板からなり、これらがそれぞれ連接されている。これらの小型反射板には、それぞれのＬＥＤに対して、上記単一反射・透過パターンが形成されている。
他方の第２の大判反射板部材４１Ｄは、実施形態３の照明装置の第２の反射板部材と同じ構成の４Ｄと、この反射板部材を図１４の状態で上下逆にして増設した反射板部材４Ｄ'とで構成されている。これらの反射板部材４Ｄ、４Ｄ'は特許請求の範囲では、第３、第４の反射板部材と表されている。これらの反射板部材４Ｄ、４Ｄ'は、それぞれ複数枚の小型反射板からなり、これらがそれぞれ連接されている。すなわち、第２の大判反射板部材４１Ｄは、反射板部材４Ｄ、４Ｄ'からなり、これらの反射板部材４Ｄ、４Ｄ'が図１１の状態で上下に連接され、さらにこれらの反射板部材４Ｄ、４Ｄ'は、複数枚の小型反射板が図１４の状態で横方向に連接されている。これらの小型反射板にも、それぞれのＬＥＤに対して、上記単一反射・透過パターンが形成されている。
この実施形態４に係る照明装置は、実施形態２に係る照明装置と反射・透過パターンが異なるが、この装置と同様の作用効果を奏することができる。
【符号の説明】
【００５８】
１                        照明装置
２                        枠体
３、３'                  点光源列
３Ａ、３Ａ'              基板、反射板
４Ａ、４Ａ'、４Ｂ、４Ｂ'、４Ｃ、４Ｃ' ４Ｄ、４Ｄ'      反射板部材
４１Ａ、４１Ｂ、４１Ｃ、４１Ｄ            大判反射板部材
４Ａ１〜４Ａ３、４Ｂ１〜４Ｂ３    小型反射板
５Ａ、５Ｂ                個別光源反射領域
５ＡＢ                    共通光源反射領域
６、６Ａ、６Ｂ            隔壁連結部材
７Ａ、７Ｂ、７Ａ'、７Ｂ'    拡散板部材
【図１】
2010277727.tif 000003
【図２】
2010277727.tif 000004
【図３】
2010277727.tif 000005
【図４】
2010277727.tif 000006
【図５】
2010277727.tif 000007
【図６】
2010277727.tif 000008
【図７】
2010277727.tif 000009
【図８】
2010277727.tif 000010
【図９】
2010277727.tif 000011
【図１０】
2010277727.tif 000012
【図１１】
2010277727.tif 000013
【図１２】
2010277727.tif 000014
【図１３】
2010277727.tif 000015
【図１４】
2010277727.tif 000016